(57)【要約】【課題】簡易な構成でかつ小型化が可能な破砕機を提供する。【解決手段】破砕機１は、本体部１０と、本体部１０に収容される回転刃２０と、回転刃２０の下方に配置されるスクリーン４０と、を有している。本体部１０の内側に回転刃２０よりスクリーン出入口１２寄りには、スクリーン４０におけるスクリーン出入口１２に近い手前側端部４０Ａを回転可能に軸支する軸支部１３が設けられている。そして、破砕機１は、スクリーン４０におけるスクリーン出入口１２から遠い奥側端部４０Ｂを上方に移動させるリフト機構１５を有している。【選択図】図４
2019141762.tif 000002
【特許請求の範囲】
【請求項１】
本体部と、前記本体部に収容される回転刃と、前記回転刃の下方に配置されるスクリーンと、を有する破砕機であって、
前記本体部に設けられ、前記回転刃の回転軸と直交する方向に前記スクリーンが出し入れされるスクリーン出入口と、
前記本体部の内側に前記回転刃より前記スクリーン出入口寄りに設けられ、前記スクリーンにおける前記スクリーン出入口に近い手前側端部を回転可能に軸支する軸支部と、
前記スクリーンにおける前記スクリーン出入口から遠い奥側端部を上方に移動させるリフト機構と、を有していることを特徴とする破砕機。
【請求項２】
前記軸支部が、前記スクリーン出入口側を向く軸受溝を有し、
前記スクリーンが、前記手前側端部に、前記軸受溝に軸支される揺動軸部を有していることを特徴とする請求項１に記載の破砕機。
【請求項３】
前記スクリーン出入口から前記本体部の内側に延びるレールと、
前記スクリーンに設けられ、前記レール上を転がるローラと、をさらに有し、
前記揺動軸部が、前記レール上に前記ローラを載せたときに前記軸受溝と同じ高さとなるように配置されていることを特徴とする請求項２に記載の破砕機。
【発明の詳細な説明】
【技術分野】
【０００１】
本発明は、例えば、産業廃棄物等を破砕する破砕機に関する。
【背景技術】
【０００２】
従来の破砕機の一例が特許文献１に開示されている。図９に示すように、従来の破砕機９００は、破砕機体９０１内に配置された回転刃としての破砕ロータ９０６と、破砕ロータ９０６の下部外周面に沿って配置されたスクリーン９０８と、を有している。
【０００３】
スクリーン９０８における一方の端部９０８Ａには、破砕機体９０１にボルト止めされる取付部９１２が設けられている。スクリーン９０８における他方の端部９０８Ｂには、破砕機体９０１に設けられた係合部９１０に係合される係脱部９１１が設けられている。破砕機体９０１の係合部９１０は、スクリーン９０８の取出方向の奥側（図９の左側）に設けられている。破砕機体９０１は、スクリーン９０８の係脱部９１１を係合部９１０に係脱させる係脱機構９１６と、係脱部９１１を取出案内可能な案内部９１３と、を有している。
【先行技術文献】
【特許文献】
【０００４】
【特許文献１】特開２００４−２０２３６５号公報
【発明の概要】
【発明が解決しようとする課題】
【０００５】
上述した従来の破砕機９００において、破砕機体９０１にスクリーン９０８を取り付ける場合、まず、スクリーン９０８を、他方の端部９０８Ｂが一方の端部９０８Ａより低い位置にある姿勢にする。そして、その姿勢のまま、スクリーン９０８を他方の端部９０８Ｂ側を先頭にして取出口部９０９から破砕機体９０１内に進入させる。
【０００６】
次に、係脱機構９１６によって、係脱部９１１が案内部９１３に沿うようにスクリーン９０８を引き上げて、係脱部９１１を係合部９１０に係合させる。このとき、スクリーン９０８は、他方の端部９０８Ｂが一方の端部９０８Ａより高い位置にある姿勢となる。
【０００７】
そして、係脱機構９１６によって、スクリーン９０８を持ち上げて、取付部９１２を破砕機体９０１に接触させてボルトにより破砕機体９０１に固定する。このとき、スクリーン９０８は、他方の端部９０８Ｂが一方の端部９０８Ａより低い位置にある姿勢となる。
【０００８】
このように、上述した従来の破砕機９００は、スクリーン９０８を取り付ける際に、スクリーン９０８がシーソーのように両端部を上下して姿勢を変化させる。そのため、破砕ロータ９０６の下方空間を大きく設ける必要があり、破砕機９００の小型化が困難であった。また、スクリーン９０８の取出方向の奥側に設けられた係合部９１０に係脱部９１１を係合させるための案内部９１３が必要となるので、構成が複雑であった。
【０００９】
そこで、本発明は、簡易な構成でかつ小型化が可能な破砕機を提供することを目的とする。
【課題を解決するための手段】
【００１０】
上記目的を達成するために、本発明の破砕機は、本体部と、前記本体部に収容される回転刃と、前記回転刃の下方に配置されるスクリーンと、を有する破砕機であって、前記本体部に設けられ、前記回転刃の回転軸と直交する方向に前記スクリーンが出し入れされるスクリーン出入口と、前記本体部の内側に前記回転刃より前記スクリーン出入口寄りに設けられ、前記スクリーンにおける前記スクリーン出入口に近い手前側端部を回転可能に軸支する軸支部と、前記スクリーンにおける前記スクリーン出入口から遠い奥側端部を上方に移動させるリフト機構と、を有していることを特徴とする。
【００１１】
本発明において、前記軸支部が、前記スクリーン出入口側を向く軸受溝を有し、前記スクリーンが、前記手前側端部に、前記軸受溝に軸支される揺動軸部を有していることが好ましい。
【００１２】
本発明において、前記スクリーン出入口から前記本体部の内側に延びるレールと、前記スクリーンに設けられ、前記レール上を転がるローラと、をさらに有し、前記揺動軸部が、前記レール上に前記ローラを載せたときに前記軸受溝と同じ高さとなるように配置されていることが好ましい。
【発明の効果】
【００１３】
本発明によれば、本体部の内側に回転刃よりスクリーン出入口寄りに設けられ、スクリーンにおけるスクリーン出入口に近い手前側端部を回転可能に軸支する軸支部を有している。そして、スクリーンにおけるスクリーン出入口から遠い奥側端部を上方に移動させるリフト機構と、を有している。このようにしたことから、スクリーンをスクリーン出入口に進入させて、軸支部にスクリーンの手前側端部を回転可能に軸支させ、そのあと、リフト機構によってスクリーンの奥側端部を上方に移動させてスクリーンを揺動させることができる。そのため、スクリーンを取り付けるときのスクリーンの動きが、スクリーンの手前側端部を軸とした揺動のみとなり、シーソーのように両端部を上下して姿勢を変化させることがない。したがって、スクリーンの下方の空間をより小さくすることができるので、破砕機を小型化することができる。また、軸支部がスクリーン出入口寄りに設けられているので、簡易な構成でスクリーンにおける手前側端部を軸支部に容易に軸支させることができる。
【図面の簡単な説明】
【００１４】
【図１】本発明の一実施形態に係る破砕機の構成を示す正面図である。
【図２】図１の破砕機の断面図である（スクリーン挿入中の様子を示す）。
【図３】図１の破砕機の断面図である（スクリーンを持ち上げる前の様子を示す）。
【図４】図１の破砕機の断面図である（スクリーンを持ち上げた後の様子を示す）。
【図５】図１の破砕機の変形例の構成を示す正面図である。
【図６】図５の破砕機の断面図である（スクリーン挿入中の様子を示す）。
【図７】図５の破砕機の断面図である（スクリーンを持ち上げる前の様子を示す）。
【図８】図５の破砕機の断面図である（スクリーンを持ち上げた後の様子を示す）。
【図９】従来の破砕機を示す図である。
【発明を実施するための形態】
【００１５】
以下、本発明の一実施形態に係る破砕機について、図１〜図４を参照して説明する。
【００１６】
図１は、本発明の一実施形態に係る破砕機の構成を示す正面図である。図２〜図４は、図１の破砕機の断面図であって、順に、スクリーン挿入中の様子を示す図、スクリーンを持ち上げる前の様子を示す図、スクリーンを持ち上げた後の様子を示す図である。図２〜図４の各図は、図１のＡ−Ａ線に沿った断面図である。以下の説明において、「上下左右」は、図１の上下左右に対応する。
【００１７】
破砕機１は、本体部１０と、リフト機構１５と、回転刃２０と、固定刃３０と、スクリーン４０と、を有している。
【００１８】
本体部１０は、破砕機１の筐体であって破砕室１１を有している。破砕室１１内には、回転刃２０が収容されている。回転刃２０の下方には、スクリーン４０が配置される。本体部１０の正面には、スクリーン４０を出し入れするためのスクリーン出入口１２が設けられている。
【００１９】
本体部１０に軸支部１３が設けられている。具体的には、軸支部１３は本体部１０の左右の側壁部１０Ｌ、１０Ｒの内面に回転刃２０よりスクリーン出入口１２寄りに設けられている。軸支部１３は、スクリーン出入口１２側を向く軸受溝１３ａを有している。軸支部１３には、軸受溝１３ａと対向するように抜け止め部材１３ｂが取り付けられる。
【００２０】
本体部１０には、スクリーン出入口１２から内側（本体部１０の奥側）に向けて水平に延びるレール１４が敷設されている。本実施形態において、レール１４は、本体部１０の左右両端に１本ずつ設けられている。
【００２１】
リフト機構１５は、本体部１０に設けられている。リフト機構１５は、スクリーン４０を持ち上げる。リフト機構１５は、昇降アーム１６と、回動軸１７と、駆動部１８と、を有している。昇降アーム１６は、スクリーン４０の下方に配置されている。本実施形態において、昇降アーム１６は、本体部１０の左右両端に１つずつ設けられている。回動軸１７は、本体部１０の側壁部１０Ｌ、１０Ｒに回転可能に軸支され、昇降アーム１６の基端部１６ａに挿通および固定されている。駆動部１８は、回動軸１７を回動させる。リフト機構１５は、駆動部１８により回動軸１７を回動させて、昇降アーム１６の先端部１６ｂを上下移動させる。昇降アーム１６は、先端部１６ｂが上方に移動したときに後述するスクリーン４０（具体的には弧状部材４１Ｌ、４１Ｒ）を持ち上げる。
【００２２】
回転刃２０は、回転軸２１と、複数の回転体２２と、複数のチップ２３と、を有している。回転軸２１は、本体部１０に回転可能に軸支されている。回転軸２１は、図示しない回転駆動部により軸心を中心に回転される。複数の回転体２２は、略三角形板状に形成されており、３つの角部に３個のチップ２３が固定されている。複数のチップ２３は工具鋼または超硬合金製である。複数の回転体２２は、キー結合による回り止め状態となるよう回転軸２１が挿通される。各回転体２２は、順に回転方向に位置をずらして（位相をずらして）軸心方向に並べて配置されている。
【００２３】
固定刃３０は、回転刃２０と、当該回転刃２０の軸心と直交する方向に対向するように配置されている。固定刃３０は、ベース３１に切断エッジ３５を有している。ベース３１は、長方形平板形状を有している。切断エッジ３５は、ベース３１の長辺部分に設けられている。切断エッジ３５は、ベース３１と同じ工具鋼で構成されていてもよく、または、超硬合金製の切断エッジ３５をベース３１にはり付けてもよい。固定刃３０は、切断エッジ３５が破砕室１１に面するように配置されている。これにより、固定刃３０は、切断エッジ３５が回転刃２０のチップ２３と対向して配置される。回転刃２０のチップ２３と固定刃３０の切断エッジ３５とが協働して破砕物を破砕する。
【００２４】
スクリーン４０は、回転刃２０の下方に配置されている。スクリーン４０は、複数の弧状部材４１と、これら弧状部材４１に支持された円弧板４２と、を有している。複数の弧状部材４１は、左右方向（回転刃２０の軸心方向）に間隔を空けて並べられている。円弧板４２は、回転刃２０の回転軌跡に沿った円弧状の曲面形状を有しており、弧状部材４１に溶接等により固定されている。円弧板４２は、回転刃２０および固定刃３０により破砕された破砕対象物が通過する通孔４３が多数設けられている。複数の弧状部材４１は、それぞれの両端が平板状の取付部４４、４５によって連結されている。
【００２５】
また、スクリーン４０は、スクリーン出入口１２に近い手前側端部４０Ａに揺動軸部４６を有している。揺動軸部４６は、複数の弧状部材４１のうち左右両端に配置された弧状部材４１（符号４１Ｌ、４１Ｒで示す）に、左右外方に突出して設けられている。揺動軸部４６は、本体部１０の軸支部１３の軸受溝１３ａに進入して、軸支部１３に揺動可能に軸支される。揺動軸部４６は、軸支部１３に取り付けられた抜け止め部材１３ｂにより軸受溝１３ａから脱落が規制されて、軸受溝１３ａ内に保持される。
【００２６】
また、スクリーン４０は、弧状部材４１Ｌ、４１Ｒに本体部１０のレール１４上を転がりながら進む複数のローラ４７が設けられている。スクリーン４０は、これら複数のローラ４７がレール１４上を進むことによりスライド移動される。本実施形態では、複数のローラ４７をレール１４上に載せたときに揺動軸部４６が軸支部１３の軸受溝１３ａと同じ高さになるように構成されている。これにより、スクリーン４０をスライド移動させると、揺動軸部４６が軸支部１３の軸受溝１３ａに進入する。
【００２７】
スクリーン４０は、リフト機構１５により持ち上げられる。スクリーン４０は、リフト機構１５により持ち上げられることにより、手前側端部４０Ａの揺動軸部４６を軸として揺動され、奥側端部４０Ｂが上方に移動される。そして、手前側端部４０Ａの取付部４４および奥側端部４０Ｂの取付部４５が、本体部１０に当接される。取付部４４は、ボルトなどの固定部材４８により本体部１０に固定される。取付部４５は、リフト機構１５により本体部１０に押しつけられる。取付部４５は、ボルトなどの固定部材により本体部１０に固定されるようにしてもよい。
【００２８】
次に、上述した破砕機１におけるスクリーン４０の取り付け方法について説明する。
【００２９】
まず、図２に示すように、本体部１０のレール１４に延長レール６０を接続する。延長レール６０上に、スクリーン４０に設けられた複数のローラ４７を本体部１０のレール１４上に載せる。これにより、スクリーン４０は、レール１４上をスライド移動可能になる。このとき、スクリーン４０は、奥側端部４０Ｂが手前側端部４０Ａより低い位置にある。そして、スクリーン４０を、本体部１０に向けてスライド移動させて、奥側端部４０Ｂ側からスクリーン出入口１２に進入させる。
【００３０】
そして、スクリーン４０をそのままスライド移動させると、図３に示すように、本体部１０の軸支部１３の軸受溝１３ａにスクリーン４０の揺動軸部４６が進入する。延長レール６０を取り外し、図４に示すように、軸支部１３に抜け止め部材１３ｂを取り付けて、揺動軸部４６の脱落を規制する。リフト機構１５を動作させて、昇降アーム１６の先端部１６ｂを上方に移動させる。昇降アーム１６の先端部１６ｂによってスクリーン４０（具体的には弧状部材４１Ｌ、４１Ｒ）が持ち上げられる。これにより、スクリーン４０が揺動軸部４６を軸として揺動され、奥側端部４０Ｂが上方に移動されて、奥側端部４０Ｂに設けられた取付部４５が本体部１０に押しつけられる。このとき、スクリーン４０の手前側端部４０Ａに設けられた取付部４４が本体部１０に当接する。そして取付部４４を固定部材４８により本体部１０に固定する。このようにして、スクリーン４０を本体部１０に取り付ける。スクリーン４０の取り外し方法は、上記取り付け方法と逆の手順となる。
【００３１】
以上より、本実施形態の破砕機１によれば、本体部１０の内側に回転刃よりスクリーン出入口１２寄りに設けられ、スクリーン４０におけるスクリーン出入口１２に近い手前側端部４０Ａを回転可能に軸支する軸支部１３を有している。そして、スクリーン４０におけるスクリーン出入口１２から遠い奥側端部４０Ｂを上方に移動させるリフト機構１５と、を有している。このようにしたことから、スクリーン４０をスクリーン出入口１２に進入させて、軸支部１３にスクリーン４０の手前側端部４０Ａを回転可能に軸支させ、そのあと、リフト機構１５によってスクリーン４０の奥側端部４０Ｂを上方に移動させてスクリーン４０を揺動させることができる。そのため、スクリーン４０を取り付けるときの動きが、スクリーン４０の手前側端部４０Ａを軸とした揺動のみとなり、シーソーのように両端部を上下して姿勢を変化させることがない。したがって、スクリーン４０の下方の空間をより小さくすることができるので、破砕機１を小型化することができる。また、軸支部１３がスクリーン出入口１２寄りに設けられているので、簡易な構成でスクリーン４０における手前側端部４０Ａを軸支部１３に容易に軸支させることができる。
【００３２】
また、軸支部１３が、スクリーン出入口１２側を向く軸受溝１３ａを有し、スクリーン４０が、手前側端部４０Ａに、軸受溝１３ａに軸支される揺動軸部４６を有している。このようにしたことから、スクリーン４０を、スクリーン出入口１２に進入させながら、揺動軸部４６を容易に軸受溝１３ａに進入させて軸支させることができる。そのため、スクリーン４０の取り付け作業を容易に行うことができる。
【００３３】
また、スクリーン出入口１２から本体部１０の内側に延びるレール１４と、スクリーン４０に設けられ、レール１４上を転がるローラ４７と、をさらに有している。そして、揺動軸部４６が、レール１４上にローラ４７を載せたときに軸受溝１３ａと同じ高さとなるように配置されている。このようにしたことから、スクリーン４０は、これら複数のローラ４７がレール１４上を進むことによりスライド移動される。そして、スクリーン４０をスライド移動させると、揺動軸部４６が軸支部１３の軸受溝１３ａに進入する。そのため、スクリーン４０の取り付け作業をより容易に行うことができる。
【００３４】
上述した実施形態の破砕機１は、揺動構造として、軸支部１３と、スクリーン４０に左右外側に突出して設けられた揺動軸部４６と、を有している。このような揺動構造に代えて、側壁部１０Ｌ、１０Ｒを貫通する軸支孔５１と、スクリーン４０の手前側端部４０Ａに設けられた貫通孔５２と、これらに挿通される揺動軸部材５３と、を有する揺動構造を採用した破砕機１Ａを図５〜図８に示す。
【００３５】
図５は、上述した実施形態の変形例の破砕機の構成を示す正面図である。図６〜図８は、図５の破砕機の断面図であって、順に、スクリーン挿入中の様子を示す図、スクリーンを持ち上げる前の様子を示す図、スクリーンを持ち上げた後の様子を示す図である。図５〜図８において、上述した実施形態と同一の構成要素には同一の符号を付す。以下の説明において、「上下左右」は、図５の上下左右に対応する。
【００３６】
この破砕機１Ａにおけるスクリーン４０の取り付け方法について説明する。
【００３７】
まず、図６に示すように、本体部１０のレール１４に延長レール６０を接続する。延長レール６０上に、スクリーン４０に設けられた複数のローラ４７を本体部１０のレール１４上に載せる。これにより、スクリーン４０は、レール１４上をスライド移動可能になる。このとき、スクリーン４０は、奥側端部４０Ｂが手前側端部４０Ａより低い位置にある。そして、スクリーン４０を、本体部１０に向けてスライド移動させて、奥側端部４０Ｂをスクリーン出入口１２に進入させる。
【００３８】
そして、スクリーン４０をそのままスライド移動させると、図７に示すように、本体部１０の軸支孔５１とスクリーン４０の貫通孔５２とが左右方向に重なる。この状態において、揺動軸部材５３を軸支孔５１および貫通孔５２に挿通する。これにより、スクリーン４０の手前側端部４０Ａが本体部１０に揺動可能に軸支される。延長レール６０を取り外し、図８に示すように、リフト機構１５を動作させて、昇降アーム１６の先端部１６ｂを上方に移動させる。昇降アーム１６の先端部１６ｂによってスクリーン４０（具体的には弧状部材４１Ｌ、４１Ｒ）が持ち上げられる。これにより、スクリーン４０が揺動軸部材５３を軸として揺動され、奥側端部４０Ｂが上方に移動されて、奥側端部４０Ｂに設けられた取付部４５が本体部１０に押しつけられる。このとき、スクリーン４０の手前側端部４０Ａに設けられた取付部４４が本体部１０に当接する。そして取付部４４を固定部材４８により本体部１０に固定する。このようにして、スクリーン４０を本体部１０に取り付ける。スクリーン４０の取り外し方法は、上記取り付け方法と逆の手順となる。この破砕機１Ａにおいても、上述した本実施形態の破砕機１と同様の効果を奏する。破砕機１Ａにおいて、軸支孔５１および揺動軸部材５３が軸支部に相当する。
【００３９】
上記に本発明の実施形態を説明したが、本発明はこれらの例に限定されるものではない。前述の実施形態に対して、当業者が適宜、構成要素の追加、削除、設計変更を行ったものや、実施形態の特徴を適宜組み合わせたものも、本発明の要旨を備えている限り、本発明の範囲に含まれる。
【符号の説明】
【００４０】
１、１Ａ…破砕機、１０…本体部、１０Ｌ、１０Ｒ…側壁部、１１…破砕室、１２…スクリーン出入口、１３…軸支部、１３ａ…軸受溝、１３ｂ…抜け止め部材、１４…レール、１５…リフト機構、１６…昇降アーム、１６ａ…基端部、１６ｂ…先端部、１７…回動軸、１８…駆動部、２０…回転刃、２１…回転軸、２２…回転体、２３…チップ、３０…固定刃、３１…ベース、３５…切断エッジ、４０…スクリーン、４０Ａ…手前側端部、４０Ｂ…奥側端部、４１、４１Ｌ、４１Ｒ…弧状部材、４２…円弧板、４３…通孔、４４、４５…取付部、４６…揺動軸部、４７…ローラ、５１…軸支孔、５２…貫通孔、５３…揺動軸部材
【図１】
2019141762.tif 000003
【図２】
2019141762.tif 000004
【図３】
2019141762.tif 000005
【図４】
2019141762.tif 000006
【図５】
2019141762.tif 000007
【図６】
2019141762.tif 000008
【図７】
2019141762.tif 000009
【図８】
2019141762.tif 000010
【図９】
2019141762.tif 000011